(57)【特許請求の範囲】
【請求項１】
海底に配置されて内部に収容空間を有する底泥集積用部材と、前記収容空間内に設けられた種撒き機とを備える海草の播種装置であって、
前記底泥集積用部材は、側部が船に接続して曳航可能であり、底部に播種穴が設けられ、
前記種撒き機は、内部に海草の種子が入れられ、下部に前記播種穴へ前記種子を放出する種子放出穴が設けられていることを特徴とする海草の播種装置。
【請求項２】
請求項１に記載の海草の播種装置において、
前記種撒き機は、前記収容空間内で両端が曳航方向と水平に直交する方向に位置して固定された中空状の筒体と、この筒体内に挿通された回転軸とを備え、
前記筒体内には前記海草の種子が入れられ、前記筒体の周面の下部には前記種子放出穴が設けられ、
前記回転軸の両端には、前記底泥集積用部材の曳航に伴い曳航方向に回転して前記回転軸を曳航方向に回転させる一対の回転駆動部が設けられ、
前記回転軸で前記筒体内に位置する部分には、前記回転軸の回転に連動して曳航方向に回転して前記筒体内を攪拌する攪拌部が設けられていることを特徴とする海草の播種装置。
【請求項３】
請求項２に記載の海草の播種装置において、
前記筒体の周面に、前記海草の種子を放出せずに海水を当該筒体内に入れる通水穴を設けたことを特徴とする海草の播種装置。
【発明の詳細な説明】
【技術分野】
【０００１】
本発明は、海草の播種装置に関する。
【背景技術】
【０００２】
従来より、藻場造成においてアマモ等の海草の種子を海底に撒くときには、種子の流出を抑えるために以下の（１）〜（４）のような種子混合物が使用されている。
【０００３】
（１）シート状物に種子が固着された播種シート（特許文献１参照）。
（２）布帛製の袋体に種子を含む生育基盤材が充填された播種基体（特許文献２参照）。
（３）種子と浚渫土とを含む粘性土と、石膏を主体とした固化材と、水溶性ポリマーとを混合してなる粒状化物（特許文献３参照）。
（４）非水溶性固体片に種子を結合担持させてなる播種用材料（特許文献４参照）。
【０００４】
しかしながら、上記の種子混合物の設置に際しては潜水作業が必要となり、作業労力がかかる。そこで、適宜な割合の砂と、海草の種子と、粉末状の糊状物質とを混合し、さらに水を加えて砂に糊状物質と種子がまぶされた状態のものを、船等に設けた投入口を介して水面から海底に投入する方法が採用されている（特許文献５参照）。
【先行技術文献】
【特許文献】
【０００５】
【特許文献１】特開平１１−３０８９０４号公報
【特許文献２】特開平０６−２０５６２０号公報
【特許文献３】特開２００５−９５１４２号公報
【特許文献４】特開２００４−１８７５１９号公報
【特許文献５】特開２００１−４５８９６号公報
【発明の概要】
【発明が解決しようとする課題】
【０００６】
しかしながら、特許文献５に記載された方法は、投入口から海底まで距離があるため、流れがある場合には種子が拡散してしまい所望の位置に播種することができない。
【０００７】
本発明は、かかる従来の課題に鑑みてなされたものであり、作業労力をかけずに種子の流出を抑えて所望の位置に播種を行うことができる海草の播種装置を提供することを目的とする。
【課題を解決するための手段】
【０００８】
前記課題を解決するために本発明の海草の播種装置は、
海底に配置されて内部に収容空間を有する底泥集積用部材と、前記収容空間内に設けられた種撒き機とを備える海草の播種装置であって、
前記底泥集積用部材は、側部が船に接続して曳航可能であり、底部に播種穴が設けられ、
前記種撒き機は、内部に海草の種子が入れられ、下部に前記播種穴へ前記種子を放出する種子放出穴が設けられていることを特徴とする。
【０００９】
また、種撒き機は、収容空間内で両端が曳航方向と水平に直交する方向に位置して固定された中空状の筒体と、この筒体内に挿通された回転軸とを備えるものが好ましい。この場合には、筒体内に海草の種子を入れ、筒体の周面の下部に種子放出穴を設ける。さらに回転軸の両端には、底泥集積用部材の曳航に伴い曳航方向に回転して回転軸を曳航方向に回転させる一対の回転駆動部を設ける。そして回転軸で筒体内に位置する部分に、回転軸の回転に連動して曳航方向に回転して筒体内を攪拌する攪拌部を設ける。
【００１０】
また、筒体の周面には、海草の種子を放出せずに海水を筒体内に入れる通水穴を設けることが好ましい。
【発明の効果】
【００１１】
本発明の海草の播種装置は、底泥集積用部材を曳航することにより、種撒き機内の種子が種子放出穴から播種穴を通じて海底に放出される。同時に、底泥集積用部材は前側（曳航方向側）にある底泥を集積しながら進んでいき、集積された底泥が底泥集積用部材の上部に堆積し、堆積した底泥が底泥集積用部材の背後に落下して、海底に放出された種子の上に被せられる。以上のようにして播種が行われる。
【００１２】
したがって、本発明の海草の播種装置では、播種に際して従来のように潜水作業を必要としないので、作業労力をかけずに播種を行うことができる。また、種撒き機から放出された種子の上に、底泥集積用部材の背後から落下する底泥が直ちに被せられるので種子の流出を抑えることができる。また、種子放出穴と播種穴とを備えたことにより海底付近で播種を行うことが可能となるので、播種の際に種子が拡散してしまうことがなく、所望の位置に播種を行うことができる。
【図面の簡単な説明】
【００１３】
【図１】本発明の一実施の形態を示す海草の播種装置の斜視図である。
【図２】同実施の形態の底泥集積用部材の斜視図である。
【図３】同実施の形態の播種装置を用いた播種方法を示す図である。
【発明を実施するための形態】
【００１４】
以下、本発明の実施の形態を図にしたがって説明する。
【００１５】
図１は、本発明の一実施の形態を示す海草の播種装置１の斜視図である。図１では、播種装置１の右側部分を示す。この播種装置１は、海底Ｆに配置された底泥集積用部材２と、底泥集積用部材２内に設けられた種撒き機３とを備えている。
【００１６】
図２に示すように底泥集積用部材２はコ字型に形成されており、内部に種撒き機３の収容空間２ｓが形成されている。底泥集積用部材２の底壁２１は左右に櫛状に形成されており、複数の櫛歯２１ａを有している。隣接する櫛歯２１ａ，２１ａ間には播種穴２１ｓが形成されている。この播種穴２１ｓは、後述する種撒き機３の突起３１１（種子放出穴３１１ａ）が差し込める大きさに形成されている。
【００１７】
底泥集積用部材２の前壁２２の右角部には挿通口２２ａが形成されている。図１に示すように、この挿通口２２ａには曳航用ワイヤー１０が通されている。図３に示すように曳航用ワイヤー１０は船１１に接続されており、底泥集積用部材２は曳航可能となっている。
【００１８】
種撒き機３は、中空状の筒体３１と、筒体３１内に挿通された回転軸３２とを備えている。筒体３１は、底泥集積用部材２の収容空間２ｓ内に配置され、両端が左右方向（曳航方向Ａと水平に直交する方向）に位置している。さらに筒体３１は、両端が固定部材３０を介して底泥集積用部材２の上壁２３の左右端に固定されている。
【００１９】
また、筒体３１は、両端が開口した円筒状の筒体本体３５１と、筒体本体３５１の両端を塞ぐ一対の蓋３５２，３５２とを備えている。一対の蓋３５２，３５２には、回転軸３２を通す挿通穴３５２ａ，３５２ａが設けられている。筒体本体３５１内には海草の種子Ｓが入れられている。なお、種子Ｓは海水より大きい比重の状態のものを用いるが、軽い場合や比重が均一でない場合は、重みを付けるために泥土等に種子を混ぜた団子状固体等にして用いる。
【００２０】
筒体本体３５１の周面３５１ａの下部には、播種穴２１ｓへ種子Ｓを放出する種子放出穴３１１ａが設けられている。具体的に説明すると、周面３５１ａの下部には、各播種穴２１ｓに差し込むように突起３１１が形成されており、この突起３１１の下面に種子放出穴３１１ａが設けられている。この種子放出穴３１１ａは、種子Ｓを放出するために種子Ｓよりも大きく形成されている。また、各種子放出穴３１１ａは、図示しないが水溶性シール材（水溶性紙等）で塞がれている。この水溶性シール材は、播種装置１を海底Ｆに設置してしばらくすると溶けて消滅するものである。
【００２１】
筒体本体３５１の周面３５１ａの上部には、多数の通水穴３１１ｂが筒体本体３５１の長さ方向に長く設けられている。この通水穴３１１ｂは、海水を筒体本体３５１内に入れるものであり、種子Ｓが放出されない大きさに形成されている。この通水穴３１１ｂにより、筒体本体３５１内には海水が充満されている。
【００２２】
回転軸３２は筒体本体３５１内を挿通して配置されており、両端に一対の回転駆動部３３，３３が設けられている。この回転駆動部３３は、底泥集積用部材２の曳航に伴い曳航方向Ａ（前方）に回転して回転軸３２を曳航方向Ａに回転させるものである。この回転駆動部３３は、回転軸３２に接続した軸部３３０と、軸部の周りに結合した複数の回転翼３３１とから構成されている。各回転翼３３１は細長の板状に形成されており、基端が回転軸３２に結合し、先端部３３１ａが前方へ折り曲げられている。
【００２３】
回転軸３２で筒体本体３５１内に位置する部分には、複数の攪拌部３４が設けられている。この攪拌部３４は、回転軸３２の回転により回転して筒体本体３５１内を攪拌するものである。この攪拌部３４は、複数の攪拌翼３４ａから構成されている。複数の攪拌翼３４ａはそれぞれ細長い板状に形成されて、一端が回転軸３２に結合して対称に配置されている。
【００２４】
次に、播種装置１の設置方法を説明する。播種装置１は、以下の（１）〜（５）の手順で海底Ｆに設置する。
【００２５】
（１）筒体本体３５１を用意して、種子放出穴３１１ａを水溶性シール材で塞ぐ。
（２）筒体本体３５１内に回転軸３２を挿入し、両端を蓋３５２で塞いで筒体３１にする。
（３）筒体３１を底泥集積用部材２の後方から収容空間２ｓ内に入れる。このときに、筒体３１の突起３１１（種子放出穴３１１ａ）を底泥集積用部材２の播種穴２１ｓに差し込んで位置を合わせる。この状態で筒体３１の両端を固定部材３０により底泥集積用部材２の上壁２３の左右端に固定する。
（４）一対の回転駆動部３３，３３を用意し、各回転駆動部３３の軸部３３０を底泥集積用部材２の左右側から筒体３１の回転軸３２の両端にそれぞれ接続する。これにより底泥集積用部材２の収容空間２ｓ内に種撒き機３が設置されて播種装置１が完成する。
（５）播種装置１を海底Ｆに配置し、前壁２２を曳航用ワイヤー１０で船１１に接続する。
【００２６】
次に、播種装置１を用いた播種方法を説明する。この播種装置１は、海底Ｆに設置してしばらくすると、種撒き機３の種子放出穴３１１ａを塞いでいる水溶性シール材が溶け、種子放出穴３１１ａと底泥集積用部材２の播種穴２１ｓとが連通する。そして、図３に示すように船１１で底泥集積用部材２を曳航すると、回転駆動部３３が曳航方向Ａに回転し、これに連動して回転軸３２も曳航方向Ａに回転する。回転軸３２の回転により攪拌部３４も曳航方向Ａに回転して筒体３１内が攪拌される。この攪拌により筒体３１内の種子Ｓは巻き上げと沈降が行われて分散し、沈降した種子Ｓが、種子放出穴３１１ａから播種穴２１ｓを通じて海底Ｆに放出される。
【００２７】
底泥集積用部材２は、種子Ｓの放出と同時に、図３に示すように前側（曳航方向Ａ側）の底泥１００を集積しながら進んでいく。集積した底泥１００は底泥集積用部材２の上部に堆積し、堆積した底泥１００は底泥集積用部材２の背後に落下して、海底に放出された種子Ｓの上に被せられる。こうして播種が完了する。
【００２８】
このように本実施の形態の海草の播種装置１では、船による曳航作業のみで播種を行うので、従来のように播種の際に潜水作業を必要としない。よって、作業労力をかけずに播種を行うことができる。
【００２９】
また、本実施の形態の海草の播種装置１では、種撒き機３から放出された種子Ｓの上に、底泥集積用部材２の背後から落下する底泥が直ちに被せられるので種子の流出を抑えることができる。また、種子放出穴３１１ａと播種穴２１ｓとを備えたことにより、海底Ｆ付近で播種を行うことが可能となるので、播種の際に種子Ｓが拡散してしまうことがなく、所望の位置に播種を行うことができる。
【００３０】
また、本実施の形態の海草の播種装置１では、播種に使用する材料は，種子と底泥のみであることから、播種前に播種シート等の種子混合物を製造する必要がない。よって、自然発芽の場合と同様な環境をつくることができる。したがって、播種後の発芽率や成長に影響を与えてしまうことがない。
【００３１】
また、本実施の形態の海草の播種装置１では、攪拌部３４で筒体３１内を攪拌しながら播種を行うようにしたので、筒体３１内の種子Ｓが分散され、種子Ｓを効率良く放出することができる。
【００３２】
さらに、本実施の形態の海草の播種装置１では、筒体３１に通水穴３１１ｂを設けたので筒体３１内には海水が充満し、種子Ｓは海水に混合した状態で攪拌される。したがって、種子Ｓの分散効率を高めることができ、種子Ｓをさらに効率良く放出することができる。
【００３３】
また、本実施の形態の海草の播種装置１では、底泥集積用部材２をコ字型に形成した。これにより、種撒き機３の設置に際しては、筒体３１を底泥集積用部材２の後方から収容空間２ｓ内に入れて、一対の回転駆動部３３，３３を底泥集積用部材２の左右側から回転軸３２の両端に接続すれば良い。したがって、種撒き機３の設置に際しては障害となるものがないので、種撒き機３の設置作業を容易に行うことができる。
【００３４】
以上、本発明にかかる実施の形態を例示したが、この実施の形態は本発明の内容を限定するものではない。また、本発明の請求項の範囲を逸脱しない範囲であれば、各種の変更等は可能である。
【００３５】
例えば、本実施の形態では、底泥集積用部材２としてコ字型のものを使用したが、底泥集積用部材２の形状はコ字型に限定しなくても良く、内部に種撒き機３の収容空間を有して曳航可能であれば良い。
【産業上の利用可能性】
【００３６】
以上説明したように本発明の海草の播種装置は、作業労力をかけずに種子の流出を抑えて所望の位置に播種を行うことができる。したがって、本発明の海草の播種装置を、海草の播種装置の技術分野で十分に利用することができる。
【符号の説明】
【００３７】
１    海草の播種装置
２    底泥集積用部材
２ｓ    収容空間
３    種撒き機
１１    船
２１    底泥集積用部材の底壁（底部）
２１ｓ    播種穴
２２    前壁（側部）
３１    筒体
３５１ａ    筒体の周面
３２    回転軸
３３    回転駆動部
３４    攪拌部
３１１ａ    種子放出穴
３１１ｂ    通水穴
Ａ    曳航方向
Ｆ    海底
Ｓ    海草の種子
【図１】
0005581262.tif 000002
【図２】
0005581262.tif 000003
【図３】
0005581262.tif 000004